(57)【特許請求の範囲】
【請求項１】
二つの対の縦割り筒状面を有する振動体と、前記振動体の振動と該振動に対応する電気信号との変換を行う変換部と、前記振動体を前記振動方向に沿って移動可能に支持する支持部とを備え、前記振動体は、各対の縦割り筒状面において当該縦割り筒状面の一方の側部どうしが谷部を形成するとともに、異なる対の縦割り筒状面の他方の側部どうしが山部を形成しており、前記二つの対の縦割り筒状面が前記谷部どうし又は山部どうしの少なくともいずれかを直交させて配置されていることを特徴とする電気音響変換器。
【請求項２】
前記振動体は、前記各対の縦割り筒状面を有する翼状部と、該翼状部の外周部を囲むように設けられ錐形状に延びるコーン部とを備え、前記翼状部は、前記コーン部の小径側端部と大径側端部との間に配置され、前記変換部は、前記縦割り筒状面の谷部に固定されていることを特徴とする請求項１記載の電気音響変換器。
【請求項３】
前記翼状部は前記コーン部の表面に設けられることを特徴とする請求項２記載の電気音響変換器。
【請求項４】
前記コーン部に、該コーン部と前記翼状部との間の空間に開口する貫通孔が形成されていることを特徴とする請求項３記載の電気音響変換器。
【請求項５】
前記コーン部に、前記翼状部における各谷部の先端部を収容する切欠部が形成されていることを特徴とする請求項２又は３記載の電気音響変換器。
【請求項６】
前記翼状部と前記コーン部とは、前記翼状部の外周縁と前記コーン部の内周縁とが連続して一体成形されていることを特徴とする請求項２記載の電気音響変換器。
【発明の詳細な説明】
【技術分野】
【０００１】
本発明は、縦割り筒状面を振動させて音を再生するスピーカ又は音を収集するマイクロホンに好適な電気音響変換器に関する。
【背景技術】
【０００２】
一般的なダイナミックスピーカは、振動板をボイスコイルモータで往復駆動するピストンモーションにより音を発するスピーカであり、低い周波数ではほぼ点音源として機能し、広い指向特性を有するが、振動板の口径と再生音の半波長がほぼ同等になる周波数以上の帯域では、指向性が鋭くなる。このため、高音域の再生には、小口径の振動板を使用した小型のスピーカが用いられる。
また、ダイナミックスピーカの動作原理と逆の動作原理を有するダイナミックマイクロホンでも、上記と同様のことが言える。即ち、広い指向性で高音域を収集するには、小口径の振動板を使用した小型のマイクロホンが用いられる。
【０００３】
これに対してリッフェル型スピーカは、一対の長方形の湾曲板により振動板が構成され、中高音域での指向性が広く、また、振動板の湾曲方向に沿う横方向に音が広がり、縦方向にはほとんど広がらないという特性を有するため、ラインアレイスピーカとして縦方向に連続させることにより、理想的な音空間を提供することができると考えられる。
【０００４】
このようなリッフェル型スピーカとして、従来、例えば特許文献１又は特許文献２に開示されたものがある。
特許文献１には、高分子樹脂フィルムの中央部分にボイスコイルとしての導電体パターンをプリント形成し、その中央部分を折り返し加工して接着することによって、導電体パターンを有する平板状の部分と、湾曲形状の第１，第２の振動部とを一体化して備える振動板が形成されており、この振動板の平板状の部分は磁気回路内の磁気ギャップ内に配置され、両振動部の先端は支持部材に固定された構造のスピーカが開示されている。
特許文献２には、振動板中央部が凹部を形成した状態で折り返され、その凹部内に、長円の環状に巻回された偏平なボイスコイルが配置され、そのボイスコイルを上下に離間した二つの磁気ギャップ内に配置した構造のスピーカが開示されている。このスピーカにおいても、振動板の外周部は、環状のフレーム上に固定されている。
【先行技術文献】
【特許文献】
【０００５】
【特許文献１】特開２００２−７８０７９号公報
【特許文献２】特開２００７−１７４２３３号公報
【発明の概要】
【発明が解決しようとする課題】
【０００６】
しかしながら、この種のリッフェル型スピーカは、低音域での再生には適さないため、可聴帯域の全域を再生するためには、別途、低音域用のスピーカ（ウーハー）を用いたマルチスピーカシステムとする必要がある。
また、例えばブックシェルフ型と呼ばれる、棚上等に置くタイプのスピーカシステムは、縦方向又は横方向のどちらの方向にも使われるが、リッフェル型スピーカを用いた場合には、前述したように振動板の湾曲方向に沿う横方向に音が広がり、これと直交する縦方向にはほとんど広がらないという特性を有するため、棚上等に置いたときの方向によって指向性が大きく変わってしまう。
【０００７】
本発明は、このような事情に鑑みてなされたもので、１本のスピーカユニットで低音域から高音域までの広い周波数の帯域に亘って広い指向性を有するとともに、スピーカユニットが縦方向又は横方向等のいずれの方向であっても、ほぼ同一の指向性を有する安価な電気音響変換器を提供することを目的とする。
【課題を解決するための手段】
【０００８】
今回発明者らがリッフェル型スピーカのような一対の湾曲形成された振動面を有するスピーカの動作原理の解析を行うにあたり、その指向性の広さが、高域での振動領域が線音源に集中することに起因するのではなく、振動板の形状そのものに依るものであることを見出した。そこで、この形状の振動板を保持したまま、ピストンモーションさせれば高域の指向性を保ったまま、低域までの再生が可能なスピーカユニットが実現可能であるとの結論に到達した。更に、そのようなスピーカの縦方向と横方向との指向性の差については、振動面の向きを変えて組み合わせることにより解決できることを見出し、以下の解決手段とした。
【０００９】
本発明の電気音響変換器は、二つの対の縦割り筒状面を有する振動体と、前記振動体の振動と該振動に対応する電気信号との変換を行う変換部と、前記振動体を前記振動方向に沿って移動可能に支持する支持部とを備え、前記振動体は、各対の縦割り筒状面において当該縦割り筒状面の一方の側部どうしが谷部を形成するとともに、異なる対の縦割り筒状面の他方の側部どうしが山部を形成しており、前記二つの対の縦割り筒状面が前記谷部どうし又は山部どうしの少なくともいずれかを直交させて配置されていることを特徴とする。
【００１０】
この電気音響変換器は、縦割り筒状面が振動面となるので、本発明をスピーカに適用した場合、リッフェル型スピーカと同様に中高音域で広い指向性を有しており、しかも、変換部により振動させられる振動体は、その全体がピストンモーションするので、ダイナミックスピーカと同様に低音域においても高い音圧を有する。したがって、１本のスピーカユニットにより低音域から中高音域までの可聴帯域の全域で広い指向性で再生可能なフルレンジスピーカユニットを実現することができる。
また、この電気音響変換器においては、各対の縦割り筒状面は、それぞれ、縦割り筒状面の周方向には音が広がり、これと直交する方向にはほとんど広がらないという指向特性を有している。本発明では、二つの対の縦割り筒状面の谷部又は山部どうしで直交して配置したので、その交差部を通る法線方向（正面方向）の聴取位置では、各対の縦割り筒状面の振動による音が均等に伝搬する。他方、この法線方向からずれた聴取位置では、そのずれた方向と縦割り筒状面の周方向とが最も近い対の縦割り筒状面からの音が相対的に大きくなるとともに、他の対の縦割り筒状面からの音が相対的に小さくなる。そして、この縦割り筒状面の対が互いに方向を変えて二対で設けられているので、各対の縦割り筒状面からの音が互いに補完し合って合成される結果、どの方向にも広い指向性を有することとなる。したがって、この電気音響変換器は、縦方向又は横方向などの設置の方向にかかわらず、優れた指向性を発揮することができる。
本発明をマイクロホンに適用する場合も、縦割り筒状面が振動面であり、その振動体の全体が一様に振動することにより、感度を維持しながら指向性が良好となり、低音域から高音域まで広い周波数帯域に亘って広い指向性で収音することができる。また、スピーカの場合と同様に、縦・横の方向にかかわらずに優れた指向性を有する。
【００１１】
本発明の電気音響変換器において、前記振動体は、前記各対の縦割り筒状面を有する翼状部と、該翼状部の外周部を囲むように設けられ錐形状に延びるコーン部とを備え、前記翼状部は、前記コーン部の小径側端部と大径側端部との間に配置され、前記変換部は、前記縦割り筒状面の谷部に固定されているものとしてもよい。
振動体が縦割り筒状面の翼状部のみで形成される場合は、直線状の谷部が延びているので、外周縁が複雑な形状となり、支持部の構造も複雑になるが、縦割り筒状面から円錐面状又は楕円錐面状等の錐形状に延在するコーン部を介在させることにより、支持部に円形リング状又は楕円形リング状の単純形状のものを用いることができ、安価に製造することが可能になる。
この場合、コーン部を翼状部の外周部だけでなく、コーン部の小径側端部と大径側端部との間に翼状部が配置されるように設けたことにより、支持部及び変換部の両方に通常のダイナミックスピーカ等と同様の構成のものを用いることが容易になり、より安価に製造することが可能である。
【００１２】
また、本発明の電気音響変換器において、前記翼状部は前記コーン部の表面に設けられるとよい。
翼状部以外は通常のダイナミックスピーカ等に用いられる部品を適用することができ、そのコーン部に翼状部を設けた単純構造であり、さらに安価に製造することができる。
【００１３】
この場合、前記コーン部に、該コーン部と前記翼状部との間の空間に開口する貫通孔が形成されているとよい。
コーン部と翼状部との間の空間が密閉されていると空洞共鳴の原因となるおそれがあり、また、振動板が２枚重なって存在することになるため、それぞれから放射される音が干渉して特性の乱れを生じるおそれがある。そこで、２重構造となっている部分のコーン部に貫通孔を形成することにより、コーン部と翼状部との間の空間を開放状態として空洞共鳴を防止するとともに、コーン部の面積を貫通孔により小さくして、振動板としての機能を低下させて干渉を抑えるようにしたものである。貫通孔は、コーン部が翼状部を支持し得る程度の強度を有する範囲内で１個又は複数個形成することができる。
【００１４】
また、本発明の電気音響変換器において、前記コーン部に、前記翼状部における各谷部の両端部を収容する切欠部が形成されていてもよい。
翼状部の縦割り筒状面において谷部はコーン部の小径側に配置されるため、単に円錐面状又は楕円錐面状等の錐形状のコーン部であると、翼状部の谷部の長さを小さくしないと配置できないが、コーン部の小径側部分に切欠部を形成して、その切欠部内に谷部の両端部を収容したことにより、谷部の長さを大きくすることができ、縦割り筒状面としての放射面を広く確保することができる。
【００１５】
本発明の電気音響変換器において、前記翼状部と前記コーン部とは、前記翼状部の外周縁と前記コーン部の内周縁とが連続して一体成形されているとよい。
例えば、樹脂フィルムの真空成形等により、翼状部とコーン部とを一体に形成することができ、安定した品質のスピーカ又はマイクロホンを容易に製造することができる。
【発明の効果】
【００１６】
本発明の電気音響変換器をスピーカに適用した場合、このスピーカは、低音域においてはピストンモーションにより高い音圧を有し、中低音域においては縦割り筒状面からの再生音の放射により広い指向性を有しており、１本のスピーカユニットにより低音域から中高音域までの広い範囲で広い指向性を有するフルレンジスピーカユニットを実現することができる。また、二つの対の縦割り筒状面の谷部又は山部を直交させて配置したので、縦方向又は横方向等の設置の方向にかかわらず、優れた指向性を発揮することができる。しかも、通常のダイナミックスピーカの部品を適用することが可能で、安価に製造することができる。また、本発明の電気音響変換器をマイクロホンに適用した場合も、このマイクロホンは、低音域から高音域まで広い周波数帯域に亘って広い指向性で収音することができる。
【図面の簡単な説明】
【００１７】
【図１】本発明の第１実施形態のスピーカを示す分解斜視図である。
【図２】図１のスピーカの組立状態を示す斜視図である。
【図３】図２のスピーカの正面図である。
【図４】図３のＡ−Ａ線に沿う矢視断面図である。
【図５】図２の半分を断面にした斜視図である。
【図６】図３のＢ−Ｂ線に沿う振動体の拡大断面図である。
【図７】図３のＣ−Ｃ線に沿う振動体の拡大断面図である。
【図８】図３のＤ−Ｄ線に沿う振動体の拡大断面図である。
【図９】二つの対の縦割り筒状面の組み合わせ構成を模式化して示す分解斜視図である。
【図１０】本発明の第２実施形態における振動体の分解斜視図である。
【図１１】図１０の振動体の組立状態を示す斜視図である。
【図１２】図１１の振動体の正面図である。
【図１３】図１２のＥ−Ｅ線に沿う矢視断面図である。
【図１４】本発明の第３実施形態における振動体の分解斜視図である。
【図１５】本発明の第４実施形態における振動体の分解斜視図である。
【図１６】図１５の振動体の組立状態を示す斜視図である。
【図１７】本発明の第５実施形態における振動体の斜視図である。
【図１８】図１７の振動体の正面図である。
【図１９】図１８のＦ−Ｆ線に沿う矢視断面図である。
【図２０】図１８のＧ−Ｇ線に沿う矢視断面図である。
【図２１】本発明の第６実施形態における振動体の斜視図である。
【図２２】図２１の振動体の正面図である。
【図２３】図２２のＨ−Ｈ線に沿う矢視断面図である。
【図２４】本発明の第７実施形態における振動体の斜視図である。
【図２５】図２４の振動体の正面図である。
【図２６】図２５のＪ−Ｊ線に沿う矢視断面図である。
【図２７】図２５のＫ−Ｋ線に沿う矢視断面図である。
【図２８】本発明の第８実施形態における振動体の斜視図である。
【図２９】図２８の振動体の正面図である。
【図３０】図２９のＬ−Ｌ線に沿う矢視断面図である。
【図３１】図２９のＭ−Ｍ線に沿う矢視断面図である。
【発明を実施するための形態】
【００１８】
以下、本発明の電気音響機器をスピーカに適用した実施形態について図面を参照して説明する。
図１〜図９は、本発明の第１実施形態のスピーカ（電気音響機器）を示す。
１．全体の構成
この実施形態のスピーカは、振動体１と、この振動体１を往復駆動するアクチュエータ（変換部）２と、これら振動体１及びアクチュエータ２を支持するための支持枠３と、振動体１を支持枠３に往復移動自在に支持するエッジ部４とを備えている。
なお、図２において、エッジ部４が設けられている側を上、アクチュエータ２が設けられている側を下とするように上下方向を設定し、この上下方向と直交し、後述するように９０°の角度で交差する振動体１の谷部６のうちの一つの谷部６の延在方向をｘ方向、このｘ方向と直交する方向をｙ方向とする。このｘ方向及びｙ方向に対して、上下方向をｚ方向と称する場合もある。また、上方を向く面を表面、下方を向く面を裏面とする。表面を正面という場合もある。
【００１９】
２．各部の構成
（１）振動体の構成
振動体１は、図２及び図３等に示すように、翼状部７とこの翼状部７の外周部を囲むように円錐面状に延びるコーン部８とを備える。翼状部７は、二つの対の縦割り筒状面５をｘｙ平面で互いに直交するように配置させて、両者を合体した形状で構成される。
具体的には、縦割り筒状面５の二つの対を図９（ａ）に模式的に分離して示すように、各対において、それぞれ、一対の縦割り筒状面５が並列に形成されるとともに、隣接する縦割り筒状面５の一方の側部どうしの間で谷部６を形成している。
なお、上述の縦割り筒状面５とは、筒状の面の一部を縦割りにして切り取った面のことである。また、上述の縦割り筒状面５の側部とは、縦割り筒状面５において、前記筒状の面の湾曲する方向の側の部位のことである。そして、図９（ｂ） に示すように、二つの対の縦割り筒状面５をｘｙ平面で互いに直交するように配置させて、両者を合体した形状である振動体１を形成する。この合体した形状については、後段で詳述する。
【００２０】
これら縦割り筒状面５は、必ずしも単一円弧面でなくてもよく、複数の曲率を連続させたもの、縦割り筒状面５の周方向（横方向）に沿う断面が放物線形状やスプライン曲線など曲率が一定ないし連続的に変化するもの、角筒状面としたもの、階段状に複数の段差部を有する形状としたものなどを採用することができ、一方向（縦割り筒状面５の周方向である横方向）に湾曲し、その一方向と直交する方向（縦割り筒状面５の縦方向）へは直線状となっている。
また、均一な音響特性（周波数特性、指向特性）を得るために、各縦割り筒状面５は、その谷部６の底部における接線Ｌ１，Ｌ２の間の中心で谷部６に沿う平行な面Ｍを中心として面対称に形成することが好ましい。ただし、本発明においては、必ずしも面対称でなくてもよい。
【００２１】
図示例では、各縦割り筒状面５の横方向の断面は、谷部６から高さ方向の途中位置までは円弧面状に形成され、高さ方向の途中位置から曲率半径を大きくしあるいはほぼ平面状に形成されている。前者を円弧面部５ａ、後者を傾斜面部５ｂとする（図２、図５等参照）。
そして、各対の縦割り筒状面５は、図４及び図６に示すように、その凸となる方向を同じ表面側に向けて並列に配置されるとともに、隣接する側部どうしが、縦割り筒状面５の周方向に沿う断面における接線方向をほぼ平行にした状態で接合されている。その接合部１３では、両縦割り筒状面５がわずかに間隔をあけて接合されており、その接合部１３における接線Ｌ１，Ｌ２が平行に配置される（図６参照）。そして、この接合部１３に沿って、両縦割り筒状面５の間に、縦割り筒状面５の縦方向に沿う直線状に谷部６が形成されている。
【００２２】
このような形状とされる二つの対の縦割り筒状面５は、図９の（ａ）（ｂ）に示すように直交して組み合わされることにより形成される。即ち、それぞれの対の縦割り筒状面５において、図９（ａ）に示すように谷部６の長手方向の中央部から両端部に向かうにしたがって漸次周方向長さが大きくなる二つの対の扇状の部分Ｆ１，Ｆ２を残して、これら扇状の部分に挟まれた部分Ｇ１，Ｇ２は取り除かれている。そして、これら二つの対の扇状の部分Ｆ１の縦割り筒状面５が、他の二つの対の扇状の部分Ｆ２の縦割り筒状面５と、その谷部６の中心部で直交して、取り除かれた部分Ｇ１，Ｇ２を互いに埋め合わせるように合体して形成されている。図９（ａ）には便宜上、二つの対の縦割り筒状面５において、上述の取り除かれた部分を二点鎖線で示している。
【００２３】
そして、前述の翼状部７は、上記のような形状の縦割り筒状面５が谷部６を直交させて配置されることにより、図３に示すように、表面側から視て（正面視で）十字状をなして互いに中央で直交する二つの谷部６と、これら谷部６によって分割されて表面側に隆起する四つの隆起部１１とで構成される。各隆起部１１においては、ｘｙ平面で谷部６に対して４５°回転した位置に、異なる対の縦割り筒状面５の他方の側部（谷部６を形成している一方の側部に対して他方の側部）どうし（傾斜面部５ｂどうし及び円弧面部５ａどうし）を滑らかな曲面で連結した山部１２が形成されており、四つの隆起部１１により、四つの山部１２が形成されている。これらの山部１２も、ｘｙ平面視で、互いに直交するように配置される。
【００２４】
なお、谷部６の交差部９には、四つの隆起部１１の角部が接近して配置されており、これにより、図３に示すように、交差部９は、隆起部１１の角部に囲まれ、谷部６の直線部分の幅より広い平面状に形成されている。この谷部６の底部において各縦割り筒状面５どうし及び隆起部１１の角部どうしを接合している部分を接合部１３とする。この接合部１３は谷部６と同じ正面視（又は裏面視）が十字状をなしており、翼状部７の下端を形成している。
【００２５】
一方、コーン部８は、翼状部７の各隆起部１１の外側（交差部９とは反対側の先端）から延びるとともに、各縦割り筒状面５の間の２本の谷部６の両端を閉塞しており、全体として円錐面状に形成されている。
つまり、この振動体１は、図４及び図６に断面を示したように、接合部１３を下側に配置すると、この接合部１３から高さ方向の大部分が翼状部７とされ、各隆起部１１の外側からコーン部８が円錐面の一部をなすように配置された形状とされる。この振動体１の下端は、９０°に交差した接合部１３の下面により構成され、振動体１の上端は、コーン部８の上縁により円形に形成される。
【００２６】
この振動体１は、その材質が限定されるものではなく、スピーカの振動板として一般的に用いられる合成樹脂、紙、金属等の材料を用いることができ、例えば、ポリプロピレン、ポリエステル等の合成樹脂からなるフィルムを真空成形することにより、比較的容易に成形することができる。
この実施形態の振動体１は合成樹脂からなる１枚のフィルムを一体成形しており、その接合部１３は、フィルムを断面Ｕ字状に折り返すように成形して形成されている。
【００２７】
（２）振動体以外の各部の構成
アクチュエータ２は、例えばボイスコイルモータが用いられ、翼状部７の接合部１３が交差している部分に設けられたボイスコイル２０と、支持枠３に固定された磁石機構２１とにより構成される。
ボイスコイル２０は、図１に示すように円筒状のボビン２０ａの回りにコイル２０ｂが巻回されたものであり、図５に示すように、その軸上に翼状部７の交差部９の中心が配置され、ボイスコイル２０の上端と接合部１３の下縁とが接着剤等を介して固着されている。そして、このボイスコイル２０の外周部がダンパー２２を介して支持枠３に支持されており、ボイスコイル２０は支持枠３に対してボイスコイル２０の軸方向に沿って往復移動自在であるとともに、ダンパー２２によりボイスコイル２０の振動は、適宜制動される。ダンパー２２は一般的なダイナミックスピーカに用いられる材料のものを適用することができる。
磁石機構２１は、環状の磁石２３と、この磁石２３の一方の極に固定されたリング状のアウターヨーク２４と、他方の極に固定されたインナーヨーク２５とを備えており、インナーヨーク２５の中心のポール部２５ａの先端部がアウターヨーク２４内に配置される。これにより、アウターヨーク２４とインナーヨーク２５との間に、環状に磁気ギャップ２６が形成される。この磁気ギャップ２６内に、ボイスコイル２０のコイル２０ｂが巻回された部分が挿入された状態で配置される。
【００２８】
支持枠３は、例えば金属材により成形され、図示例では、矩形の枠状に形成されたフランジ部３０と、フランジ部３０の下方に延びる複数のアーム部３１と、これらアーム部３１の下端に形成された環状フレーム部３２とを備えている。そして、そのフランジ部３０の内周面は円周面に形成されており、その内側に、接合部１３を下方に向けて振動体１が配置され、振動体１のコーン部８の上端縁がエッジ部４を介してフランジ部３０の上面に支持されている。したがって、エッジ部４は、振動体１のコーン部８に対応して円形リング状に形成される。このエッジ部４も、一般的なダイナミックスピーカに用いられている材料のものを適用することができる。
本発明において、振動体１を振動の方向（谷部６の深さ方向であるｚ方向）に振動可能に支持する支持部３５は、この実施形態では、支持枠３とエッジ部４によって構成されている。
また、支持枠３の環状フレーム部３２に、磁石機構２１のアウターヨーク２４が取り付けられることにより、磁石機構２１と支持枠３とが一体に固定される。
【００２９】
この支持枠３に振動体１を取り付けた状態において、縦割り筒状面５の断面形状は、図７に示すように、谷部６を介して対向している両縦割り筒状面５の周方向に沿う断面（横方向の断面）において、これら縦割り筒状面５の湾曲方向に沿って最も外側（谷部６からの距離が最も大きくなる位置）の先端（この実施形態の場合は傾斜面部５ｂの先端）どうしを結ぶ線を境界線Ｈとするとき、先端から谷部６に向かうにしたがって境界線Ｈから漸次離間する方向に湾曲する。
前述したように、縦割り筒状面５は、単一円弧面だけでなく、複数の曲率を連続させたもの、断面が放物線形状やスプライン曲線など曲率が一定ないし連続的に変化するもの、角筒状面としたもの、階段状に複数の段差部を有する形状としたものなどを採用することができるが、その先端どうしを結ぶ境界線Ｈを超えない形状の凸面とするのが好ましい。
なお、図１及び図２において符号３３は、ボイスコイル２０を外部に接続するための端子を示している。
【００３０】
３．動作
このように構成されたスピーカは、振動体１に固定されたアクチュエータ２のボイスコイル２０に音声信号に応じた駆動電流が流れると、その駆動電流によって生じる磁束変化と、磁気ギャップ２６内の磁界とにより、ボイスコイル２０に駆動電流に応じた駆動力が作用し、磁界と直交する方向（ボイスコイル２０の軸方向、図４では矢印で示す上下方向であるｚ方向）にボイスコイル２０を振動させる。これにより、このボイスコイル２０に接続されている振動体１が、谷部６の深さ方向に沿って振動し、表面から再生音が放射される。
【００３１】
この場合、振動体１は、音波の主要な放射面となるように、振動体１の大部分の面積を占めるように構成された翼状部７と、振動体１の一部分の面積となるように、翼状部７の上端部に配置されたコーン部８とからなっている。
このため、広帯域に亘って広い指向性を有している。
しかも、振動体１は、コーン部８の外周部がエッジ部４により支持枠３に往復振動が可能なように支持されているので、接合部１３から外周部までの全体がアクチュエータ２によって一様に振動し、いわゆるピストンモーションによる振動が生じる。このため、ダイナミックスピーカと同様に、低音域においても高い音圧を有する。この場合、谷部６の両端が開放状態であると、振動体により放射された音波の一部が、その開放された空間を通って振動体の裏面側に抜けていくが、コーン部８により谷部６の両端が塞がれているので、音波の振動体１の裏面側への抜けを防止し、振動体１の前面の全体から効率的に放音することができる。
したがって、１本のスピーカユニットにより、低音域から高音域までの可聴帯域の全域で広い指向性で再生可能なフルレンジスピーカユニットを実現することができる。
【００３２】
また、この振動体１の縦割り筒状面５は、その周方向に沿う方向への音の指向性が広く、これと直交する方向には狭いという特性を有する。そして、この振動体の縦割り筒状面５は、複数対の縦割り筒状面５により構成され、各対が９０°の角度で交差しているので、その交差部９を通る法線方向（正面方向）の聴取位置では、各対の縦割り筒状面５の振動による音が均等に伝搬する。他方、この交差部９の法線方向からずれた聴取位置では、そのずれた方向と縦割り筒状面５の周方向とが最も近い対の縦割り筒状面５からの音が相対的に大きくなるとともに、他の対の縦割り筒状面５からの音が相対的に小さくなる。
例えば、交差部９の正面からｘ方向に聴取位置をずらすと、このｘ方向に直交するｙ方向に沿って谷部６を有する対の縦割り筒状面５（図３に示す例では図の上下方向に延びる谷部６を介して対向している縦割り筒状面５）からの音が大きくなり、ｘ方向に沿って谷部６を有する対の縦割り筒状面５（図３に示す例では図の左右方向に延びる谷部６を介して対向している縦割り筒状面５）からの音は小さくなる。逆に、交差部９の正面からｙ方向に聴取位置をずらすと、ｘ方向に沿って谷部６を有する対の縦割り筒状面５からの音が大きくなり、ｙ方向に沿って谷部６を有する対の縦割り筒状面５からの音は小さくなる。
交差部９の正面からｘ方向とｙ方向との間の方向に聴取位置が移動する場合は、その移動方向と縦割り筒状面５の周方向とが最も近くなる対の縦割り筒状面５（言い換えると、聴取位置の移動方向に直交する方向が谷部６の延在方向に最も近くなる対の縦割り筒状面５）からの音が相対的に大きくなり、他の対の縦割り筒状面５からの音は相対的に小さくなる。
【００３３】
このように、この振動体１は、縦割り筒状面５の対が９０°向きを変え直交して二対が設けられているので、聴取位置を正面からｘ方向、ｙ方向のいずれに移動する場合でも、移動した方向に直交する方向と近い方向に沿って谷部６を有する対の縦割り筒状面５からの音が大きくなり、移動した方向と近い方向に沿って谷部６を有する対の縦割り筒状面５からの音は小さくなるとともに、各対の縦割り筒状面５からの音が互いに干渉することも少なく、各対の縦割り筒状面５からの音が互いに補完し合って合成される結果、どの方向にも広い指向性を有することとなる。したがって、この電気音響変換器は、縦方向又は横方向などの設置の方向にかかわらず、優れた指向性を発揮することができる。
【００３４】
なお、このスピーカを振動体１のいずれかの谷部６を連続させるように複数並べることにより、ラインアレイスピーカシステムを構築することも可能であり、理想的な線音源による音空間を提供することができる。
また、この実施形態では、振動体１の外周部が円錐面状のコーン部８により形成されているので、エッジ部４を円形リング状の単純な形状とすることができる。さらに、アクチュエータ２のボイスコイル２０も円筒状に形成して、その上端部と振動体１とを固着したので、このアクチュエータ２としても、通常のダイナミックスピーカに用いられているものを適用することができ、したがって、エッジ部４、支持枠３、アクチュエータ２等として、通常のコーン状振動板を有するダイナミックスピーカと共通の部品を適用することができ、安価に製造することができる。
【００３５】
なお、翼状部７とコーン部８は、１枚のフィルムから一体成形した例を示したが、個々の隆起部を成形して、これら隆起部を隣接する縦割り筒状面が対をなすように接合部を介して接着して形成してもよい。また、帯板状の補強板あるいは補強ワイヤ等の補強部材を接合部１３に沿って固着して接合部１３を直線状に補強した形態等としてもよい。
いずれの形態の場合も、縦割り筒状面５は、接合部１３とは反対側の先端どうしを結ぶ境界線Ｈを超えない凸面とするのが好ましい。
【００３６】
図１０〜図１６は、他の実施形態に用いられる振動体を示している。これらの実施形態において、振動体以外の構成要素（アクチュエータ、支持体、エッジ部）は第１実施形態と同じものが用いられるので、図示を省略し、また、各図において、第１実施形態と共通要素には同一符号を付して説明を簡略化する。
【００３７】
図１０〜図１３に示す第２実施形態における振動体４１は、図１０に分解して示したように、翼状部４２とコーン部４３とが２枚の振動体として別々に製作され、コーン部４３の表面に翼状部４２が重ねられて、貼り付けられた構成である。翼状部４２は、四つの隆起部４４が４弁の花びら状の形状をなし、正面視で十字状をなす谷部６を介して配置され、谷部６の底部で接合部１３によって縦割り筒状面５の一側部どうしが接合された形状とされているが、谷部６の正面視の十字の長さが第１実施形態のものより短く形成されている（図３と図１２を比較参照）。縦割り筒状面５は、第１実施形態のように円弧面部５ａと傾斜面部５ｂとからなる形状ではなく、その全体がほぼ同じ曲率の円弧面状に形成されている。各隆起部４４においては、正面視で十字状の谷部６に対して４５°回転してずらした位置に、隣接する対の縦割り筒状面５どうしを滑らかに繋げる、十字状に配置された山部１２を有している。このため、隆起部４４は、十字状の谷部６の間に、４５°回転してずれた方向に沿って十字状に山部１２が延びるように形成されている。
【００３８】
コーン部４３は、円錐面状に形成され、その大径側端部４３ａと小径側端部４３ｂとの間の中央部分に翼状部４２が接着されている。この翼状部４２が貼り付けられる領域には複数の貫通孔４５がコーン部４３に形成されている。したがって、コーン部４３の貫通孔４５が形成された領域を覆うように、翼状部４２がコーン部４３の表面に接着されている。コーン部４３と翼状部４２との間には図１３に示すように空洞部４６が形成されており、その空洞部４６は貫通孔４５によりコーン部４３の裏側に開口している。
【００３９】
このように構成される振動体４１は、図１３に示すように、翼状部４２の接合部１３はコーン部４３の小径側端部４３ｂの下端の位置に配置される。そして、図１３の二点鎖線で示されるアクチュエータのボイスコイル２０は、翼状部４２の接合部１３に接合され、コーン部４３の小径側端部４３ｂには接合されない。
【００４０】
この振動体４１を備えたスピーカは、アクチュエータによって翼状部４２の谷部６の深さ方向に駆動されることにより、振動体４１全体にピストンモーションによる振動が生じて、翼状部４２の縦割り筒状面５から音が放射される。このとき、コーン部４３と翼状部４２との間に形成された空洞部４６が密閉した空間であると、この空洞部４６で共鳴が発生するおそれがあるとともに、２枚の重なった振動板が放射する音が互いに干渉するおそれがある。しかし、本実施形態の振動体４１においては、貫通孔４５を設けることにより、空洞部４６を密閉しない空間とするとともに、コーン部４３の翼状部４２と重なる部分において、振動板としての面積が小さくなるようにした。
したがって、翼状部４２の背面側のコーン部４３に影響されることなく、縦割り筒状面５から有効に再生音を放射することができる。
なお、貫通孔４５は、コーン部４３が翼状部４２を支持し得る程度の強度を有する範囲内で１個又は複数個形成することができる。貫通孔４５の形状も、図１０に例示する丸型に限定されない。
【００４１】
また、この第２実施形態の振動体４１では、翼状部４２がコーン部４３に重なる部分に、内部の空洞部４６をコーン部４３の裏側に開口する貫通孔４５を形成したが、本発明においては、貫通孔４５を有さないものも含むものとする。図１４は、そのような振動体として第３実施形態における振動体を分解して示した斜視図であり、この振動体４７は、貫通孔を有しないコーン部４８の大径側端部４８ａと小径側端部４８ｂとの間の表面に、第２実施形態の翼状部と同様の翼状部４２が貼り付けられている。この第３実施形態は、翼状部４２とコーン部４８とを合体させて剛性を上げる場合に、有効な構成となる。なお、コーン部４８の表面に翼状部４２を貼り付けたが、他の固定手段でもよく、コーン部４８の表面に翼状部４２が設けられていればよい。
【００４２】
図１５及び図１６は第４実施形態における振動体を示している。この振動体５１は、第２実施形態のものと同様に翼状部５２とコーン部５３とが別々に製作され、２枚の振動板（翼状部５２とコーン部５３）が合体して構成される。詳述すると、コーン部５３の大径側端部５３ａと小径側端部５３ｂとの間に翼状部５２が貼り付けられた構成とされており、翼状部５２は、四つの隆起部５４が十文字状の直交した谷部６を介して相互の縦割り筒状面５どうしを対向させるように配置されている。そして、この実施形態においては、コーン部５３に、接合部１３の四つの両端部をそれぞれ収容する四つの切欠部５５が形成される。この切欠部５５内に接合部１３の両端部を収容して、翼状部５２がコーン部５３に貼り付けられて固定される。
この場合、切欠部５５は、図１５に示すように、コーン部５３の一部にＶ字状の切り込みを入れて三角形状の舌片５５ａを形成し、この舌片５５ａを上方から下方へ押し込むことにより、形成されている。更に、図１６に示すように、切欠部５５に接合部１３の両端部を収容して配置すると、翼状部５２の谷部６の開口している両端が舌片５５ａによって閉塞され、振動体５１から放射される音波がコーン部５３の裏側へ抜けることが防止され、振動体５１の前面の全面から放音することができる。
【００４３】
翼状部５２の接合部１３は、正面視で十字状に形成され、第２実施形態のものより長く形成されており、また、谷部６の端部は、接合部１３を頂点として徐々に広がるほぼ三角形状をなしている。この翼状部５２を第２実施形態のように円錐面状のコーン部の表面に貼り付ける場合は、コーン部の円錐面に整合させるために、翼状部を接合部に向かうにしたがって徐々に小さく形成する必要があるため、接合部の長さが短くなる。しかし、本実施形態のように、コーン部５３に切欠部５５を形成して、その切欠部５５に接合部１３の両端部を収容して配置することにより、接合部１３を長い状態のままコーン部５３に貼り付けることが可能となる。したがって、円錐面状のコーン部５３と縦割り筒状面５を有する翼状部４２とを合体させた振動体において、コーン部５３の円錐面形状による制約の少ない合体構造となっており、広い振動面積を有する縦割り筒状面５で構成される振動体を実現することができる。
なお、図示例では、コーン部５３に貫通孔は設けられていないが、第２実施形態の場合と同様に、コーン部５３の翼状部５２と重なる部分に貫通孔を設けてもよい。
【００４４】
上記の各実施形態においては、ｘｙ平面上で、振動体のコーン部の中心部にボイスコイルの中心軸を一致させるとともに、振動体の翼状部の谷部の交差部をコーン部の中心部（すなわち、ボイルコイルの中心軸）に一致させて配置した。しかし、以下の第５実施形態及び第６実施形態に示すように、谷部の交差部をコーン部の中心部からｘｙ平面上で偏心した位置に配置してもよい。
【００４５】
図１７〜図２０に示す第５実施形態の振動体６１では、二対の縦割り筒状面５のうち、一方の対の縦割り筒状面５の谷部（ｘ軸方向に延びる谷部）６はコーン部８の中心部を通る（すなわち、直径の位置）に配置され、他方の対の縦割り筒状面５の谷部（ｙ方向に延びる谷部）６はコーン部８の中心部から図１８におけるｘ方向の右手側に偏心した位置（すなわち、コーン部８の中央部を通らない弦の位置）に配置される。したがって、翼状部６２の谷部６の交差部９の位置は、コーン部８の中央部とは一致せず、ｘｙ平面でｘ軸の右手側に偏心している。隆起部６３Ａ，６３Ｂも、大きな面積の縦割り筒状面５で形成される隆起部６３Ａと、これに対して小さい面積の縦割り筒状面５で形成される隆起部６３Ｂとの二種類が二つずつ形成される。この場合、変換部のボイスコイル２０の位置は、谷部６の交差部９が偏心した距離が小さい場合には、コーン部８の中央部上に配置してもよいが、偏心した距離が大きい場合には、図１８〜図２０に示すように偏心した谷部６の交差部９に配置してもよい。
【００４６】
一方、図２１〜図２３に示す第６実施形態の振動体６５では、翼状部６６を構成する二対の縦割り筒状面５の両方とも谷部６がコーン部８の中央部からｘｙ平面上でずれた位置に配置され、その交差部９がコーン部８の中央部からｘ方向、ｙ方向ともに偏心している。したがって、四つの隆起部６７Ａ〜６７Ｃは、最も面積の大きい縦割り筒状面５によって形成される一つの隆起部６７Ａと、最も小さい縦割り筒状面５によって形成される一つの隆起部６７Ｂとが谷部６の交差部９を介して１８０°反対側に配置され、これらに対して９０°回転した位置で、異なる面積の縦割り筒状面５によって形成される二つの隆起部６７Ｃが形成され、３種類の隆起部６７Ａ〜６７Ｃを有する。
この場合、変換部のボイスコイル２０は、各谷部６の長手方向の中央の位置にそれぞれ配置するとよい。したがって、変換部は２個配置される。
【００４７】
このような第５実施形態及び第６実施形態の形状の振動体６１，６５とすることにより、以下の作用、効果が得られる。
谷部６の交差部９が偏心する距離が小さく、第１実施形態から第４実施形態と同程度に、翼状部６２，６６の指向特性の主軸がコーン部８の中央部から大きく偏心しない場合には、振動体６１，６２の全体の指向特性を大きく変えることなく、振動体６１，６５（特に翼状部６２，６６）の振動モードを適切に分散させることができる。このため、このような振動体６１，６５の形状からは、滑らかで平坦な周波数特性が得られる。
一方、谷部６の交差部９が偏心する距離が大きく、縦割り筒状面５の面積が縦方向又は横方向で大きく異なる場合には、より大きな面積の縦割り筒状面５が指向する方向に指向特性を強めることが可能となる。このため、このような振動体６１，６５の形状からは、指向特性の主軸が法線方向から傾斜した特性を得ることができる。
したがって、その偏心距離、偏心方向を適宜に設定することにより、振動体６１，６５の周波数特性を制御したり、あるいは、任意の方向に指向特性を制御したりすることが可能となり、適切な音響特性を有するスピーカを得ることができる。
なお、上述の第５実施形態及び第６実施形態において、コーン部についても、翼状部６２，６６の偏心形状に合わせて、大径側から小径側に偏心させた偏心円錐面形状とし、小径側の中心が翼状部６２，６６の谷部６の交差部９の位置となるように形成してもよい。
【００４８】
また、図２４及び図２７は第７実施形態の振動体を示している。
第１実施形態では、翼状部７の谷部６を直交させ、各隆起部１１における縦割り筒状面５の山部１２を谷部６に対して４５°回転した位置に配置した。したがって、縦割り筒状面５の山部１２も直交して配置される。これに対して、この第７実施形態の振動体７１では、翼状部７２の谷部６は直交して配置されるが、各隆起部７３における縦割り筒状面５の山部１２は直交しないで、９０°とは異なる角度で交差している。このため、二つの対の縦割り筒状面５の一方の対の縦割り筒状面５が他方の対の縦割り筒状面５より大きい面積となり、各隆起部７３において、面積の異なる二つの縦割り筒状面５によって山部１２を形成している。
【００４９】
したがって、再生される音波の寄与がｘ方向、ｙ方向で均等でなく、大きい面積の縦割り筒状面５の対の方向で指向特性が広く、小さい面積の縦割り筒状面５の対の方向で指向特性が狭いという特性となる。図２５に示す例では、ｘ方向に周方向を有する縦割り筒状面５の対の方が、ｙ方向に周方向を有する縦割り筒状面５の対よりも大きい面積に形成されている。このため、この振動体７１は、大きい面積の縦割り筒状面５の周方向（ｘ方向）で指向特性が広く、小さい面積の縦割り筒状面５の周方向（ｙ方向）で指向特性が狭いという特性となる。
【００５０】
さらに、図２８〜図３１は第８実施形態の振動体を示している。
前述した第１実施形態から第７実施形態の各振動体においては、翼状部は、いずれも、互いに直交する谷部６を介して縦割り筒状面５が対をなして配置したが、この第８実施形態の振動体７５の翼状部７６においては、各対の縦割り筒状面５は、その山部（隣接する対の縦割り筒状面５の側部どうしが繋がって形成される最も高い稜線部）１２を互いに直交するように配置している。これに対して、谷部６は、互いに直交はしておらず、９０°とは異なる角度で交差している。
このため、各対の縦割り筒状面５は、谷部６を介して異なる面積の縦割り筒状面５が対をなしているが、各隆起部７７は、大きい面積の縦割り筒状面５どうし、小さい面積の縦割り筒状面どうしの側部によって山部１２を形成している。
なお、図２８、図２９では、山部１２に沿ってｘ方向、ｙ方向を定めている。
【００５１】
この第８実施形態の振動体７５の場合も、再生される音波の寄与がｘ方向、ｙ方向で均等でなく、大きい面積の縦割り筒状面５の対の方向で指向特性が広く、小さい面積の縦割り筒状面５の対の方向で指向特性が狭いという特性となる。図２９に示す例では、ｘ方向に周方向を有する隆起部７７方が、ｙ方向に周方向を有する隆起部７７よりも大きい面積に形成されている。このため、この振動体７５は、大きい面積の隆起部７７の周方向（ｘ方向）で指向特性が広く、小さい面積の隆起部７７の周方向（ｙ方向）で指向特性が狭いという特性となる。
【００５２】
また、第７実施形態及び第８実施形態に、前述の第２実施形態から第６実施形態の構造を適用することも可能である。
すなわち、
（１）図２４〜図３１では、翼状部とコーン部とを一体に形成した例を図示したが、これら翼状部とコーン部とを別体に作製して、コーン部の表面に翼状部を固定した構造（第３実施形態）
（２）上記（１）のコーン部に貫通孔を形成した構造（第２実施形態）
（３）コーン部に切欠部を形成して、谷部の両端部を収容し、切欠部の舌片で谷部の両端を閉塞した構造（第４実施形態）
（４）山部の交差部をコーン部の軸上からｘ方向又はｙ方向のいずれか、あるいはｘ方向及びｙ方向の両方にずらして配置した構造（第５実施形態または第６実施形態）
などとすることができる。
【００５３】
なお、本発明は、上記実施形態に限定されるものではなく、本発明の趣旨を逸脱しない範囲において種々の変更を加えることが可能である。
例えば、各実施形態において、コーン部は円錐面状に形成し、エッジ部を円形のリング状に形成したが、コーン部を楕円錐面状に形成し、エッジ部も楕円形のリング状に形成してもよい。また、コーン部は、一般的なダイナミックスピーカとして用いられる振動板であれば、円錐面状や楕円錘面状以外の形状でもよく、 正面視で丸型や角型、あるいは角型に丸型を組み合わせた形状でもよく、全体として錐形状に形成されていればよい。翼状部の形状も、上記コーン部の形状に合わせて、適宜変更される。
また、振動体の裏面に補強用のリブやブロック等を固着してもよい。振動体の放射面に対しては、縦割り筒状面にその周方向に沿って板状又は棒状のリブを設けることが可能である。このスピーカは、前述したように、縦割り筒状面を再生音の放射面としているので、その縦割り筒状面の周方向に沿う方向への指向性は広いが、これと直交する方向には狭いという特性を有しており、このため、縦割り筒状面の放射面に周方向に沿って板状又は棒状のリブを設けたとしても、音響的な影響は少ない。
【００５４】
さらに、振動体を往復駆動する変換部として、ボイスコイルモータを適用したが、ボイスコイルモータに代えて、圧電素子等を用いてもよい。
また、上記実施形態ではいずれも本発明をスピーカに適用したが、本発明をマイクロホンに適用することも可能である。本発明をスピーカに適用する場合は、ボイスコイルモータ等の変換部が、音声信号に基づく電気信号を振動体の振動に変換するが、本発明をマイクロホンに適用する場合も、変換部としてボイスコイルモータ等を用いることができ、その場合の変換部は、音波を受けて振動する振動体の振動を電気信号に変換する。そして、本発明を適用したマイクロホンは、縦割り筒状面が振動面であり、その振動体の全体が一様に振動することにより、感度を維持しながら指向性が良好となり、低音域から高音域まで広い周波数帯域に亘って広い指向性で収音することができる。
【符号の説明】
【００５５】
１…振動体、２…アクチュエータ（変換部）、３…支持枠、４…エッジ部、５…縦割り筒状面、５ａ…円弧面部、５ｂ…傾斜面部、６…谷部、７…翼状部、８…コーン部、９…交差部、１１…隆起部、１２…山部、１３…接合部、２０…ボイスコイル、２１…磁石機構、２２…ダンパー、２３…磁石、２４…アウターヨーク、２５…インナーヨーク、２５ａ…ポール部、２６…磁気ギャップ、３０…フランジ部、３１…アーム部、３２…環状フレーム部、３３…端子、４１…振動体、４２…翼状部、４３…コーン部、４３ａ…大径側端部、４３ｂ…小径側端部、４４…隆起部、４５…貫通孔、４６…空洞部、４７…振動体、４８…コーン部、４８ａ…大径側端部、４８ｂ…小径側端部、５１…振動体、５２…翼状部、５３…コーン部、５３ａ…大径側端部、５３ｂ…小径側端部、５４…隆起部、５５…切欠部、５５ａ…舌片、６１…振動体、６２…翼状部、６３Ａ，６３Ｂ…隆起部、６５…振動体、６６…翼状部、６７Ａ〜６７Ｃ…隆起部、７１…振動体、７２…翼状部、７３…隆起部、７５…振動体、７６…翼状部、７７…隆起部
【図１】
0006394158.tif 000002
【図２】
0006394158.tif 000003
【図３】
0006394158.tif 000004
【図４】
0006394158.tif 000005
【図５】
0006394158.tif 000006
【図６】
0006394158.tif 000007
【図７】
0006394158.tif 000008
【図８】
0006394158.tif 000009
【図９】
0006394158.tif 000010
【図１０】
0006394158.tif 000011
【図１１】
0006394158.tif 000012
【図１２】
0006394158.tif 000013
【図１３】
0006394158.tif 000014
【図１４】
0006394158.tif 000015
【図１５】
0006394158.tif 000016
【図１６】
0006394158.tif 000017
【図１７】
0006394158.tif 000018
【図１８】
0006394158.tif 000019
【図１９】
0006394158.tif 000020
【図２０】
0006394158.tif 000021
【図２１】
0006394158.tif 000022
【図２２】
0006394158.tif 000023
【図２３】
0006394158.tif 000024
【図２４】
0006394158.tif 000025
【図２５】
0006394158.tif 000026
【図２６】
0006394158.tif 000027
【図２７】
0006394158.tif 000028
【図２８】
0006394158.tif 000029
【図２９】
0006394158.tif 000030
【図３０】
0006394158.tif 000031
【図３１】
0006394158.tif 000032